(57)【要約】【課題】インクジェットプリンターの筐体と筐体の外部に配置されたインクタンクとを、使用者が持ち運ぶときの作業が容易ではないという課題がある。【解決手段】インクを噴射する液体噴射ヘッド３と、液体噴射ヘッド３を収容する筐体２とは別体に構成されて、係合部１５を有し、インクを貯留する貯留容器１１が収容された収容ケース１０と、液体噴射ヘッド３と貯留容器１１とを連通する液体チューブ８と、用紙を排出する側を正面とする筐体２の側面２ａに突出して備えられて、係合部１５と係合可能な被係合部２０と、を備え、収容ケース１０は、係合部１５と被係合部２０とによって、側面２ａに着脱可能に備えられた記録装置を提供する。【選択図】図１
2013226728.tif 000002
【特許請求の範囲】
【請求項１】
インクを噴射する液体噴射ヘッドと、
前記液体噴射ヘッドを収容する筐体とは別体に構成されて、係合部を有し、前記インクを貯留するインクタンクと、
前記液体噴射ヘッドと前記インクタンクとを連通する液体チューブと、
前記筐体の側面に備えられて、前記係合部と係合可能な被係合部と、を備え、
前記係合部と前記被係合部のうちのいずれか一方は、突出する突出部を有し、前記インクタンクは、前記係合部と前記被係合部とによって、前記側面に着脱可能に備えられることを特徴とする記録装置。
【請求項２】
請求項１に記載の記録装置であって、
前記突出部は、鉛直方向に対して傾斜して突出することを特徴とする記録装置。
【請求項３】
請求項１に記載の記録装置であって、
前記突出部は、水平方向に突出する第１の突出部と、前記第１の突出部から鉛直方向に突出する第２の突出部とを有することを特徴とする記録装置。
【請求項４】
請求項１に記載の記録装置であって、
前記突出部は、湾曲部を有することを特徴とする記録装置。
【請求項５】
請求項１に記載の記録装置であって、
前記突出部は、先端に球状部を有することを特徴とする記録装置。
【請求項６】
請求項１から請求項５のいずれか一項に記載の記録装置であって、
前記インクタンクは、インクを貯留する貯留容器と前記貯留容器を収容する収容ケースとを備えたことを特徴とする記録装置。
【請求項７】
インクを噴射する液体噴射ヘッドと、
前記液体噴射ヘッドを収容する筐体とは別体に構成されて、前記インクを貯留するインクタンクと、
前記液体噴射ヘッドと前記インクタンクとを連通する液体チューブと、
前記筐体の側面に前記インクタンクを固定する帯状部材と、を備えたことを特徴とする記録装置。
【請求項８】
請求項７に記載の記録装置であって、
前記帯状部材は、マジックテープ（登録商標）であることを特徴とする記録装置。
【請求項９】
請求項７に記載の記録装置であって、
前記帯状部材は、両面が粘着性を有する両面テープであることを特徴とする記録装置。
【発明の詳細な説明】
【技術分野】
【０００１】
本発明は、記録装置に関する。
【背景技術】
【０００２】
記録装置としてのインクジェットプリンターは、液体噴射ヘッドからインクを噴射して用紙などの記録媒体に文字や画像を記録する。液体噴射ヘッドから噴射されるインクは、液体噴射ヘッドを備えて往復移動するキャリッジに搭載されたインクカートリッジやキャリッジの外側で筐体内に備えられたインクカートリッジから供給される。
オフィス向けまたは業務用に提供されるインクジェットプリンターでは、比較的大量の印刷に対応させるために、大容量のインクカートリッジを配置する必要性が生じている。
そこで、例えば特許文献１では、筐体の外側に配置されたインクタンクから液体噴射ヘッドにインクを供給する。
【先行技術文献】
【特許文献】
【０００３】
【特許文献１】特開２００６−２１２８４５号公報
【発明の概要】
【発明が解決しようとする課題】
【０００４】
しかしながら、特許文献１のインクタンクは、インクジェットプリンターの筐体とは別体に構成されている。また、インクタンクと筐体とは、インクタンクから液体噴射ヘッドにインクを供給するための液体チューブによって接続されている。
そのため、インクジェットプリンターを移動させるときは、筐体とインクタンクとが液体チューブによって接続されたまま、使用者は、筐体とインクタンクとをそれぞれ別々に保持しながら運ばなくてはならない。このように、インクジェットプリンターの筐体と筐体の外部に配置されたインクタンクとを、使用者が持ち運ぶときの作業が容易ではないという課題がある。
【課題を解決するための手段】
【０００５】
本発明は、上述の課題の少なくとも一部を解決するためになされたものであり、以下の形態または適用例として実現することが可能である。
【０００６】
［適用例１］インクを噴射する液体噴射ヘッドと、前記液体噴射ヘッドを収容する筐体とは別体に構成されて、係合部を有し、前記インクを貯留するインクタンクと、前記液体噴射ヘッドと前記インクタンクとを連通する液体チューブと、前記筐体の側面に備えられて、前記係合部と係合可能な被係合部と、を備え、前記係合部と前記被係合部のうちのいずれか一方は、突出する突出部を有し、前記インクタンクは、前記係合部と前記被係合部とによって、前記側面に着脱可能に備えられることを特徴とする記録装置。
【０００７】
本適用例によれば、係合部と被係合部のうちのいずれか一方は、突出する突出部を有し、インクタンクは、係合部と被係合部とによって、側面に着脱可能に備えられる。これにより、インクタンクを筐体に装着し、筐体とインクタンクとを一体化した状態で、持ち運ぶことができる。従って、筐体とインクタンクとを、使用者が持ち運ぶときの作業が容易となる。
【０００８】
［適用例２］前記突出部は、鉛直方向に対して傾斜して突出することを特徴とする上記記録装置。
【０００９】
本適用例によれば、筐体に対するインクタンクの姿勢が変化しても、係合部と被係合部との係合状態を維持できる。
【００１０】
［適用例３］前記突出部は、水平方向に突出する第１の突出部と、前記第１の突出部から鉛直方向に突出する第２の突出部とを有することを特徴とする上記記録装置。
【００１１】
本適用例によれば、筐体に対するインクタンクの姿勢が変化しても、係合部と被係合部との係合状態を維持できる。
【００１２】
［適用例４］前記突出部は、湾曲部を有することを特徴とする上記記録装置。
【００１３】
本適用例によれば、係合部と被係合部のうちのいずれか一方が、係合部と被係合部のうちの他方の突出部における湾曲部に沿って移動できるので、使用者がインクタンクを筐体に容易に装着したり、インクタンクを筐体から容易に取り外したりすることができる。
【００１４】
［適用例５］前記突出部は、先端に球状部を有することを特徴とする上記記録装置。
【００１５】
本適用例によれば、筐体に対するインクタンクの姿勢が変化しても、係合部と被係合部との係合状態を維持できる。
【００１６】
［適用例６］前記インクタンクは、インクを貯留する貯留容器と前記貯留容器を収容する収容ケースとを備えたことを特徴とする上記記録装置。
【００１７】
本適用例によれば、収容ケースによって剛性を高めることができるので、インクタンクが自重によって変形することを抑制できる。また、収容ケースによって貯留容器を覆うことができるので、貯留容器が外力により損傷することを抑制できる。
【００１８】
［適用例７］インクを噴射する液体噴射ヘッドと、前記液体噴射ヘッドを収容する筐体とは別体に構成されて、前記インクを貯留するインクタンクと、前記液体噴射ヘッドと前記インクタンクとを連通する液体チューブと、前記筐体の側面に前記インクタンクを固定する帯状部材と、を備えたことを特徴とする記録装置。
【００１９】
本適用例によれば、記録装置の製造コストの増加を抑制できる。
【００２０】
［適用例８］前記帯状部材は、マジックテープ（登録商標）であることを特徴とする上記記録装置。
【００２１】
本適用例によれば、記録装置の製造コストの増加を抑制できる。
【００２２】
［適用例９］前記帯状部材は、両面が粘着性を有する両面テープであることを特徴とする上記記録装置。
【００２３】
本適用例によれば、記録装置の製造コストの増加を抑制できる。
【図面の簡単な説明】
【００２４】
【図１】（ａ）は、実施形態１における記録装置の外観斜視図、（ｂ）は、収容ケースを取り外した状態における記録装置の外観斜視図。
【図２】（ａ）は、収容ケースの外観斜視図、（ｂ）は、係合部の図。
【図３】（ａ）〜（ｄ）は、被係合部の外観斜視図、（ｅ）は、係合部の斜視図。
【図４】（ａ）は、実施形態５における収容ケースの斜視図、（ｂ）は、記録装置の外観斜視図。
【図５】（ａ）は、実施形態６における記録装置の外観斜視図、（ｂ）は、実施形態６における収容ケースの外観斜視図、（ｃ）は、帯状部材の断面図。
【図６】画像読み取り部を備えた記録装置の外観斜視図。
【発明を実施するための形態】
【００２５】
以下、本発明の実施形態について、図面を参照して説明する。以下の説明において、上部、下部、上面、下面、上端部、下端部、上側、下側の記載は、鉛直方向における位置を示す。
【００２６】
（実施形態１）
図１（ａ）は、実施形態１における記録装置としてのインクジェットプリンター（以降は、プリンターという）１を正面側から見た外観斜視図である。筐体２の内部には、軸やレールなどのガイド部（不図示）に案内されて、移動方向Ｄ１に往復移動する液体噴射ヘッド３が備えられる。
【００２７】
筐体２の背面側には、用紙などの記録媒体を載置する用紙サポート４が備えられる。用紙サポート４に載置された用紙（不図示）は、筐体２に備えられた給紙装置（不図示）によって筐体２の内部に給紙される。
【００２８】
筐体２の内部に給紙された用紙は、移動方向Ｄ１と交わる方向に搬送される。液体噴射ヘッド３は、移動方向Ｄ１に往復移動しながら、搬送される用紙に対してインクを噴射し、用紙に文字や画像を記録する。筐体２には、電源のオン・オフの操作や、印刷条件の設定を行う操作ボタン７が備えられる。
【００２９】
筐体２の内部で文字や画像が形成された用紙は、搬送経路６を搬送し、筐体２の正面に形成された排出用開口部５から排出される。
【００３０】
インクタンク１００は、貯留容器１１と、貯留容器１１を収容する収容ケース１０とを備える。収容ケース１０は、側面２ａに沿って装着される。貯留容器１１は、イエロー、マゼンタ、シアン、モノクロのインクをそれぞれインク色別に貯留する。
【００３１】
液体チューブ８は、インク色別に備えられた貯留容器１１の下部に接続されて、筐体２に設けられた貫通孔９を通り、液体噴射ヘッド３と連通する。液体チューブ８は、液体噴射ヘッド３の移動に伴って、フレキシブルに変形可能である。
【００３２】
図２（ａ）は、収容ケース１０を、筐体２に装着した状態で側面２ａ側から見た外観斜視図である。収容ケース１０には、インク色別にインクが貯留される貯留容器１１が備えられる。貯留容器１１には、インクを注入するときに取り外すキャップ１３が備えられる。収容ケース１０の上部には、上面カバー１２が矢印に示すように回動可能に備えられる。上面カバー１２は、キャップ１３の上部を覆うことができる。貯留容器１１には、図１（ａ）の液体噴射ヘッド３と連通する液体チューブ８が接続される。
【００３３】
支持板１４には、図１（ａ）の収容ケース１０が装着された状態における奥行き方向Ｄ３に並んで２箇所に係合部１５が形成されている。図２（ｂ）は、収容ケース１０が装着された状態において移動方向Ｄ１から見た係合部１５の図である。
【００３４】
係合部１５は、上側に形成された矩形状の貫通孔１５０と、下側に形成された円形状の貫通孔１５１とを有する。奥行き方向Ｄ３の貫通孔１５１の幅は、貫通孔１５０の幅より長く形成されている。
【００３５】
図１（ｂ）は、図１（ａ）の収容ケース１０を取り外した状態におけるプリンター１の外観斜視図である。側面２ａには、奥行き方向Ｄ３に並ぶ２個の被係合部２０が備えられる。
【００３６】
図３（ａ）は、被係合部２０の外観斜視図である。被係合部２０は、支持板２００と、支持板２００に接続された突出部２０２とを有する。突出部２０２は、支持板２００との接続部２０１から鉛直方向Ｄ２に対して傾斜して上側に突出する。
【００３７】
支持板２００は、図示しない接着剤またはネジなどによって図１（ａ）の側面２ａに固定される。これにより、突出部２０２は、側面２ａから外側に突出した状態で備えられる。被係合部２０を側面２ａと一体に形成してもよい。
【００３８】
図２（ａ）の支持板１４と貯留容器１１との間には空間部が形成されており、突出部２０２は、図２（ｂ）の係合部１５の貫通孔１５０，１５１に挿入可能である。使用者は、突出部２０２を貫通孔１５１に挿入した後、突出部２０２を貫通孔１５０に挿入し、係合部１５を被係合部２０に係合させる。また、使用者は、突出部２０２を貫通孔１５０，１５１から引き出すことができる。
【００３９】
このようにして、係合部１５と被係合部２０とは、係合状態または非係合状態とすることができるので、使用者は、収容ケース１０を側面２ａに装着したり、側面２ａから取り外したりすることができる。
【００４０】
以上、本実施形態で説明したプリンター１は、インクを噴射する液体噴射ヘッド３と、液体噴射ヘッド３を収容する筐体２とは別体に構成されて、係合部１５を有し、インクを貯留する貯留容器１１が収容された収容ケース１０と、液体噴射ヘッド３と貯留容器１１とを連通する液体チューブ８と、用紙を排出する側を正面とする筐体２の側面２ａに突出して備えられて、係合部１５と係合可能な被係合部２０と、を備え、収容ケース１０は、係合部１５と被係合部２０とによって、側面２ａに着脱可能に備えられる。
【００４１】
この構成によれば、収容ケース１０を筐体２に装着し、筐体２とインクタンク１００とを一体化した状態で、持ち運ぶことができる。従って、筐体２とインクタンク１００とを、使用者が持ち運ぶときの作業が容易となる。
【００４２】
また、被係合部２０は、鉛直方向Ｄ２に対して傾斜して上側に突出する突出部２０２を有する。
【００４３】
これにより、筐体２に対する収容ケース１０の姿勢が変化しても、係合部１５と被係合部２０との係合状態を維持できる。
【００４４】
また、インクタンク１００は、インクを貯留する貯留容器１１と貯留容器１１を収容する収容ケース１０とを備える。これにより、収容ケース１０によって剛性を高めることができるので、インクタンク１００が自重によって変形することを抑制できる。また、収容ケース１０によって貯留容器１１を覆うことができるので、貯留容器１１が外力により損傷することを抑制できる。
【００４５】
本実施形態では、被係合部２０を側面２ａに備えたが、筐体２における正面や背面に被係合部２０を備えてもよい。
【００４６】
（実施形態２）
図３（ｂ）は、実施形態２におけるプリンターに備える被係合部２０ａの斜視図である。被係合部２０ａは、支持板２０３、第１の突出部２０５と、第２の突出部２０６とを有する。第１の突出部２０５は、支持板２０３との接続部２０４から水平方向に突出し、第２の突出部２０６は、第１の突出部２０５と接続されて上側に突出する。
【００４７】
支持板２０３は、図示しない接着剤またはネジなどによって、図１（ａ）の側面２ａに固定される。これにより、第１の突出部２０５、第２の突出部２０６は、側面２ａから外側に突出した状態で備えられる。被係合部２０ａを側面２ａと一体に形成してもよい。
【００４８】
第１の突出部２０５、第２の突出部２０６は、図２（ｂ）の係合部１５の貫通孔１５０，１５１に挿入可能である。そのため、係合部１５と被係合部２０ａとは係合状態または非係合状態となることができる。これにより、収容ケース１０を側面２ａに着脱可能に装着できる。
【００４９】
また、第２の突出部２０６が形成されているので、筐体２に対する収容ケース１０の姿勢が変化しても、係合部１５と被係合部２０ａとの係合状態を維持できる。実施形態２におけるプリンターのその他の構成は、実施形態１のプリンター１の構成と同じである。
【００５０】
（実施形態３）
図３（ｃ）は、実施形態３におけるプリンターに備える被係合部２０ｂの斜視図である。被係合部２０ｂは、支持板２０７と、支持板２０７との接続部２０８から上側に湾曲して図１（ｂ）の側面２ａから外側に突出する湾曲部２０９とを有する。
【００５１】
支持板２０７は、図示しない接着剤またはネジなどによって、図１（ａ）の側面２ａに固定される。これにより、湾曲部２０９は、側面２ａから外側に突出した状態で備えられる。被係合部２０ｂを側面２ａと一体に形成してもよい。
【００５２】
湾曲部２０９は、図２（ｂ）の係合部１５の貫通孔１５０，１５１に挿入可能である。そのため、係合部１５と被係合部２０ｂとは係合状態または非係合状態となることができる。これにより、収容ケース１０を側面２ａに着脱可能に装着できる。
【００５３】
また、湾曲部２０９が形成されているので、筐体２に対する収容ケース１０の姿勢が変化しても、係合部１５と被係合部２０ｂとの係合状態を維持できる。実施形態３におけるプリンターのその他の構成は、実施形態１のプリンター１の構成と同じである。
【００５４】
（実施形態４）
図３（ｄ）は、実施形態４におけるプリンターに備える被係合部２０ｃの斜視図である。被係合部２０ｃは、支持板２１１と、支持板２１１との接続部２１２から水平方向に突出する突出部２１３と、突出部２１３の先端に形成された球状部２１４とを有する。
【００５５】
支持板２１１は、図示しない接着剤またはネジなどによって、図１（ａ）の側面２ａに固定される。これにより、突出部２１３、球状部２１４は、側面２ａから外側に突出した状態で備えられる。被係合部２０ｃを側面２ａと一体に形成してもよい。
【００５６】
突出部２１３、球状部２１４は、図２（ｂ）の係合部１５の貫通孔１５０，１５１に挿入可能である。そのため、係合部１５と被係合部２０ｃとは係合状態または非係合状態となることができる。これにより、収容ケース１０を側面２ａに着脱可能に装着できる。
【００５７】
球状部２１４の径の長さは、突出部２１３の鉛直方向Ｄ２の長さや、奥行き方向Ｄ３の長さより長く形成されている。これにより、筐体２に対する収容ケース１０の姿勢が変化しても、係合部１５と被係合部２０ｃとの係合状態を維持できる。
【００５８】
また、球状部２１４が形成されているので、使用者は、突出部２１３を貫通孔１５１，１５０に容易に挿入できる。実施形態４におけるプリンターのその他の構成は、実施形態１のプリンター１の構成と同じである。
【００５９】
本実施形態で説明した球状部２１４を、図３（ａ）の被係合部２０の突出部２０２、図３（ｂ）の被係合部２０ａの第２の突出部２０６、図３（ｃ）の被係合部２０ｂの湾曲部２０９の先端にそれぞれ形成してもよい。
【００６０】
（実施形態５）
実施形態１〜実施形態４では、筐体２の側面２ａに備えられた被係合部が突出部を有していたが、収容ケースに備えられた係合部に突出部を有してもよい。
【００６１】
図４（ａ）は、実施形態５におけるインクタンク１００ａの収容ケース１０ａを、筐体２に装着した状態で側面２ａ側から見た斜視図である。支持板１４には、支持板１４から筐体２側に突出する突出部を有する係合部１６が備えられる。
【００６２】
図３（ｅ）は、実施形態５における係合部１６の斜視図である。係合部１６の支持板１６３は、図４（ａ）の支持板１４に固定される。係合部１６は、支持板１６３から水平方向における筐体２側に突出する第１の突出部１６１と、第１の突出部１６１と接続されて鉛直方向Ｄ２下側に突出する第２の突出部１６２とを有する。
【００６３】
図４（ｂ）は、実施形態５におけるプリンター１ａの斜視図である。側面２ａには、図３（ｅ）の第１の突出部１６１と第２の突出部１６２とが挿入可能な被係合部としての貫通孔２１が設けられる。
【００６４】
第１の突出部１６１と第２の突出部１６２とが貫通孔２１に貫通することにより、収容ケース１０ａの係合部１６が貫通孔２１に係合し、収容ケース１０ａは、側面２ａに着脱可能に装着される。
【００６５】
実施形態５におけるプリンター１ａのその他の構成は、実施形態１のプリンター１の構成と同じである。本実施形態では、係合部１６における第２の突出部１６２は、鉛直方向Ｄ２下側に突出していたが、鉛直方向Ｄ２上側に突出する第２の突出部を有する係合部を、収容ケース１０ａに備えてもよい。
【００６６】
また、図４（ａ）の収容ケース１０ａの支持板１４に、図３（ａ）〜（ｄ）の被係合部２０，２０ａ，２０ｂ，２０ｃと同様な形状を有する係合部を備えてもよい。また、図３（ａ）〜（ｃ）の被係合部２０，２０ａ，２０ｂと同様な形状を有する係合部を用いて、突出部が鉛直方向Ｄ２上側または下側に突出した状態で収容ケース１０ａの支持板１４に備えてもよい。
【００６７】
（実施形態６）
図５（ａ）は、実施形態６におけるプリンター１ｂの外観斜視図である。図５（ａ）は、収容ケース１０ｂを側面２ａから取り外した状態である。側面２ａには、帯状部材３０が備えられる。
【００６８】
図５（ｂ）は、実施形態６におけるインクタンク１００ｂの収容ケース１０ｂを筐体２側から見た外観斜視図である。収容ケース１０ｂの筐体２側には、板状の部材１７が備えられる。
【００６９】
図５（ｃ）は、側面２ａに固定された帯状部材３０を正面側から見た断面図である。帯状部材３０は、側面２ａから外側に突出して備えられる。帯状部材３０は、両面３０ａ，３０ｂが粘着性を有する両面テープである。これにより、帯状部材３０によって、収容ケース１０ｂを側面２ａに固定したり、側面２ａから取り外したりすることができる。実施形態６におけるプリンターのその他の構成は、実施形態１のプリンター１の構成と同じである。
【００７０】
帯状部材としてマジックテープ（登録商標）を用いてもよい。マジックテープ（登録商標）は、フック状の部材が密集した面を有する第１の帯状部材と、フック状の部材と係合可能なリング状の部材が密集した面を有する第２の帯状部材とから構成される。第１の帯状部材と第２の帯状部材のうちの一方を側面２ａに固定し、他方を収容ケース１０ｂの板状の部材１７に固定する。これにより、収容ケース１０ｂを側面２ａに固定したり、側面２ａから取り外したりすることができる。
【００７１】
図６は、記録部５１を収容した筐体５２の上側に、画像読み取り部６０を備えた記録装置５０の外観斜視図である。筐体５２の内部には、移動方向Ｄ１に往復移動する液体噴射ヘッド５３が備えられる。
【００７２】
筐体５２の背面側には、用紙などの記録媒体を載置する用紙サポート５４が備えられる。用紙サポート５４に載置された用紙（不図示）は、筐体５２に備えられた給紙装置（不図示）によって筐体５２の内部に給紙される。
【００７３】
筐体５２の内部に給紙された用紙は、移動方向Ｄ１と交わる方向に搬送される。液体噴射ヘッド５３は、移動方向Ｄ１に往復移動しながら、搬送される用紙に対してインクを噴射し、用紙に文字や画像を記録する。筐体５２には、電源のオン・オフの操作や、印刷条件の設定を行う操作ボタン５７が備えられる。
【００７４】
筐体５２の内部で文字や画像が形成された用紙は、搬送経路５６を搬送し、筐体５２の正面に形成された排出用開口部５５から排出される。
【００７５】
インクタンク８２は、収容ケース８０と貯留容器８１とを備える。収容ケース８０は、側面５２ａに着脱可能に装着される。貯留容器８１は、イエロー、マゼンタ、シアン、モノクロのインクをそれぞれインク色別に貯留する。液体チューブ５８は、筐体５２に設けられた貫通孔５９を通り、貯留容器８１と液体噴射ヘッド５３とを連通する。
【００７６】
筐体５２の上側には、イメージセンサーが搭載されたセンサーユニット６１が移動方向Ｄ１に移動可能に備えられる。原稿台カバー６３は矢印に示すように回動可能に備えられ、原稿台カバー６３は透明性を有する原稿台６２を覆うことができる。
【００７７】
原稿台カバー６３が原稿台６２を覆う状態で、センサーユニット６１は、移動方向Ｄ１に移動しながら、原稿台６２に載置された原稿に描かれた文字や画像を読み取ることができる。画像読み取り部６０は、センサーユニット６１、原稿台６２、原稿台カバー６３を含んで構成される。
【００７８】
実施形態１から実施形態６で説明した発明は、このような画像読み取り部６０を備えた記録装置５０にも適用する。
【００７９】
また、実施形態１から実施形態６では、インクタンクは、インクを貯留する貯留容器と貯留容器を収容する収容ケースとを備えたが、貯留容器と収容ケースとを一体に形成したインクタンクも適用する。
【符号の説明】
【００８０】
１，１ａ，１ｂ…インクジェットプリンター、２，５２…筐体、２ａ，５２ａ…側面、３，５３…液体噴射ヘッド、８，５８…液体チューブ、１０，１０ａ，１０ｂ，８０…収容ケース、１１，８１…貯留容器、１５，１６…係合部、２０，２０ａ，２０ｂ，２０ｃ…被係合部、３０…帯状部材、３０ａ，３０ｂ…両面、５０…記録装置、８２，１００，１００ａ，１００ｂ…インクタンク、１６１，２０５…第１の突出部、１６２，２０６…第２の突出部、２０２，２１３…突出部、２０９…湾曲部、２１４…球状部、Ｄ２…鉛直方向。
【図１】
2013226728.tif 000003
【図２】
2013226728.tif 000004
【図３】
2013226728.tif 000005
【図４】
2013226728.tif 000006
【図５】
2013226728.tif 000007
【図６】
2013226728.tif 000008